(57)【要約】【課題】発光効率を改良できて、長期間に亘って使用しても光の透過性能が低下しないこと。【解決手段】上端面に一つ以上の発光ダイオードがユニット付けてある基板を有し、前記基板の上に前記発光ダイオードを囲むためのマスクが固定してあり、前記マスクは、上端に発光ダイオードからの光線の顔色を変えるための蛍光パウダー層が形成してあり、側壁に発光ダイオードからの光線を前記上端に集中するための反射層が形成してある。【選択図】図１
0003133673.tif 000002
【実用新案登録請求の範囲】
【請求項１】
上端面に一つ以上の発光ダイオードがユニット付けてある基板を有し、前記基板の上に前記発光ダイオードを囲むためのマスクが固定してあり、
前記マスクは、上端に発光ダイオードからの光線の顔色を変えるための蛍光パウダー層が形成してあるとともに、その側壁に発光ダイオードからの光線を前記上端に集中するための反射層が形成してあることを特徴とする、
発光ダイオードユニット。
【請求項２】
前記マスクは、光透過可能なガラスで作製されていることを特徴とする、請求項１に記載の発光ダイオードユニット。
【請求項３】
前記マスクは、光透過可能な石英で作製されていることを特徴とする、請求項１に記載の発光ダイオードユニット。
【請求項４】
前記蛍光パウダー層は前記マスクの上端の内面に設けられることを特徴とする、請求項１に記載の発光ダイオードユニット。
【請求項５】
前記蛍光パウダー層は前記マスクの上端の外面に設けられることを特徴とする、請求項１に記載の発光ダイオードユニット。
【請求項６】
前記反射層は前記マスクの側壁の内面に設けられることを特徴とする、請求項１に記載の発光ダイオードユニット。
【請求項７】
前記反射層は前記マスクの側壁の外面に設けられることを特徴とする、請求項１に記載の発光ダイオードユニット。
【請求項８】
前記マスクの側壁は、前記反射層の反射力を向上するために、フッ化水素酸でエッチングされてフォギングしたことを特徴とする、請求項１に記載の発光ダイオードユニット。
【請求項９】
前記マスクの上端の断面形状はアーチ形を呈することを特徴とする、請求項１に記載の発光ダイオードユニット。
【請求項１０】
前記マスクの上端の断面形状はフラットを呈することを特徴とする、請求項１に記載の発光ダイオードユニット。
【請求項１１】
前記マスクはリング形状を呈することを特徴とする、請求項１に記載の発光ダイオードユニット。
【考案の詳細な説明】
【技術分野】
【０００１】
本考案は、発光ダイオードユニットの構造に係り、特に、ガラス、又は石英などで作製されたマスク（発光ダイオード用ホルダ、又は発光ダイオード用光源キャップ）を有し、マスクの上端に発光効率を向上するための蛍光パウダー層が形成してあり、マスクの側壁に光度を向上するためにフォギング（曇化処理）された反射層が形成してある発光ダイオードユニットに関するものである。
【背景技術】
【０００２】
科学技術の発達に伴い、単色の電灯が発光源として使用されている。
電灯からの光線の色を変更しようとする場合には、別の色を持つ光透過可能なマスクを電灯にカバーすることが一般である。
しかし、このような従来のものの欠点は、反応速度が遅いうえに、かなりの電気エネルギーを消費することと、発熱もし易く、使用寿命も短く、電灯からの光線がマスクを透過しているときに光度が低下することや、さらに電灯が損壊したときに照明機能を喪失することである。
【０００３】
そのため、照明器具に使用される光源は、従来の電灯から発光ダイオード（Light Emitting Diode,LED）にどんどん変わっている。
例えば交通信号、懐中電灯や装飾用灯などは既に発光ダイオードを使用している。そして自動車のテール・ライトおよびブレーキ・ライトなども既に発光ダイオードを使用するようになっている。
これらの用途に発光ダイオードを採用する理由は、発光ダイオードは電気エネルギーの消費量が少ないこと、使用寿命が長いこと、耐震性能が良く、体積が小さく、反応が速く、殆ど発熱しないことにある。
【０００４】
このような発光ダイオードユニットには電極パタンを有する回路基板が形成してある。回路基板に発光体が組み付けてある。
前記回路基板には、内周面が発光体側から上へ徐々に拡径する円錐形状を呈し発光体を囲む反射筐体と、前記発光体の上に配置され、発光体との間にエア層を形成するように、前記反射筐体に組み付けられるマスクと、前記回路基板と反射筐体とマスクとの少なくとも一つに開設され、前記エア層と大気とを連通するエア穴と、前記反射筐体の内周面に形成され、前記発光体からの光線を反射する反射面と、が設けてある。
【考案の開示】
【考案が解決しようとする課題】
【０００５】
しかしながら上記した発光ダイオードユニットには次のような欠点があった。
（イ）上記の発光ダイオードユニットは、蛍光パウダーとエポキシ樹脂とを混合してブロックに形成して、金型内に設置して加圧加熱してマスクを形成するので、エポキシ樹脂における蛍光パウダーの分散が不十分であり、ひいては発光効率が良くない。
【０００６】
（ロ）上記の発光ダイオードユニットは、蛍光パウダーとエポキシ樹脂とを混合してブロックに形成して、金型内に設置して加圧加熱してマスクを形成するので、エポキシ樹脂は長期間に使用されたと劣化する。そのため、発光ダイオードユニットには光透過性能が徐々に劣化する問題がある。
【課題を解決するための手段】
【０００７】
本考案は上記した欠点を解決することを目的とするものである。
本願の第１考案は上端面に一つ以上の発光ダイオードがユニット付けてある基板を有し、前記基板の上に前記発光ダイオードを囲むためのマスクが固定してあり、前記マスクは、上端に発光ダイオードからの光線の顔色を変えるための蛍光パウダー層が形成してあり、側壁に発光ダイオードからの光線を前記上端に集中するための反射層が形成してあることを特徴とする発光ダイオードユニットを要旨としている。
【０００８】
本願の第２考案では、前記マスクは、ガラスで作製された光透過可能なものであることを特徴とする、前記第１考案に記載の発光ダイオードユニットであることを要旨としている。
【０００９】
本願の第３考案では、前記マスクは、石英で作製された光透過可能なものであることを特徴とする前記第１考案請求項１に記載の発光ダイオードユニットであることを要旨としている。
【００１０】
本願の第４考案では、前記蛍光パウダー層は前記マスクの上端の内面に設けられることを特徴とする前記第１考案請求項１に記載の発光ダイオードユニットであることを要旨としている。
【００１１】
本願の第５考案では、前記蛍光パウダー層は前記マスクの上端の外面に設けられることを特徴とする前記第１考案請求項１に記載の発光ダイオードユニットであることを要旨としている。
【００１２】
本願の第６考案では、前記反射層は前記マスクの側壁の内面に設けられることを特徴とする前記第１考案請求項１に記載の発光ダイオードユニットであることを要旨としている。
【００１３】
本願の第７考案では、前記反射層は前記マスクの側壁の外面に設けられることを特徴とする前記第１考案請求項１に記載の発光ダイオードユニットであることを要旨としている。
【００１４】
本願の第８考案では、前記マスクの側壁は、前記反射層の反射力を向上するために、フッ化水素酸でエッチングされてフォギングになることを特徴とする前記第１考案請求項１に記載の発光ダイオードユニットであることを要旨としている。
【００１５】
本願の第９考案では、前記マスクの上端の断面形状はアーチ形を呈することを特徴とする前記第１考案に記載の発光ダイオードユニットであることを要旨としている。
【００１６】
本願の第１０考案では、前記マスクの上端の断面形状はフラットを呈することを特徴とする前記第１考案に記載の発光ダイオードユニットであることを要旨としている。
【００１７】
本願の第１１考案では、前記マスクはリング形状を呈することを特徴とする前記第１考案に記載の発光ダイオードユニットであることを要旨としている。
【考案の効果】
【００１８】
本考案の発光ダイオードユニットによれば、次のような効果がある。
（イ）発光ダイオードユニットの構成要素のひとつであるマスクは、ガラス又は石英で作製された光透過可能なものであり、そしてマスクの上端の内面または外面に蛍光パウダー層が形成してあり、蛍光パウダーが均一に分布できるので、発光効率が向上する。
【００１９】
（ロ）前記マスクは、ガラス又は石英で作製された光透過可能なものであるので、従来のようにエポキシ樹脂が長期間に使用されたと劣化することがなくなり、長期間に亘って使用しても、劣化による光透過性能の低下が生じない。
【００２０】
（ハ）マスクの側壁の内面または外面に反射層が形成してあり、マスクの側壁は、反射層の反射力を向上するために、フッ化水素酸でエッチングされてフォギングになるので、発光ダイオードからの光線がマスクの上端に集中させることができるので、発光ダイオードユニットの光度が増加する。
【考案を実施するための最良の形態】
【００２１】
以下に添付図面を参照しながら本考案の好適な実施の形態を詳細に説明する。
【００２２】
まず、図１乃至図３を参照する。図１は本考案の実施例１の斜視概略図であり、図２は本考案の実施例１の側面断面図であり、図３は本考案の実施例２の側面断面図である。
本考案に係る発光ダイオードユニットは、基板１と、マスク２とから構成されるものである。
【００２３】
前記基板１の上端には一つ以上の発光ダイオード１１がユニット付けてある。
【００２４】
前記マスク２は、光を透過可能なガラス又は石英で作製されたものである。
マスク２はその上端の断面形状がアーチ形状を呈していて、マスク２の上端の内面、または外面には光線の顔色を変換するための蛍光パウダー層２１が形成してある。
マスク２の側壁の内面、または外面には反射層２２が形成してある。
前記反射層２２により、発光ダイオード１１からの光線がマスク２の上端に集中される。
そのため、発光ダイオードユニットの光度が向上するようになる。
且つマスク２の側壁は、反射層２２の反射力を向上するために、フッ化水素酸でエッチング処理されてフォギングになっている。
【００２５】
次に、図１乃至図３を参照しながら本考案のユニット付方法を詳細に説明する。
まず、マスク２が発光ダイオード１１を囲むように、基板１の上でマスク２を固定して、前記マスク２により基板１と発光ダイオード１１とを保護する。
前記マスク２は光を透過可能なものであるので、発光ダイオード１１からの光線が透過可能である。
そしてマスク２の上端の内面または外面に形成された蛍光パウダー層２１により光線の顔色が変換されるとともに、マスク２の側壁に形成された反射層２２により、発光ダイオード１１からの光線がマスク２の上端に集中される。
したがって、発光ダイオードユニットの光度が著しく向上する。
【００２６】
また、図４と図５を参照する。図４は本考案の実施例３の側面断面図であり、図５は本考案の実施例４の側面断面図である。
本実施例と実施例１との相違の点は、マスク３の上端の断面形状がフラットを呈することにある。
また、マスク３の上端の内面または外面には光線の顔色を変換するための蛍光パウダー層３１が形成してある。
マスク３の側壁の内面または外面には反射層３２が形成してある。
前記反射層３２により、発光ダイオード１１からの光線がマスク３の上端に集中される。
したがって、発光ダイオードユニットの光度が向上する。マスク３の側壁は、反射層２２の反射力を向上するために、フッ化水素酸でエッチングされてフォギングになっている。
【００２７】
また、図６を参照する。図６は本考案の実施例５の構造を示す平面図である。
本実施例と実施例１との相違の点は、基板１の上で設けられた発光ダイオード１１が円形に環設されていることである。
リング形状を呈するマスク４は、環設された前記発光ダイオード１１を囲み、基板１と発光ダイオード１１とを保護する。
【００２８】
本考案は以上説明した実施例に限定されるものではなく、当業者本考案の精神を逸脱することなく適宜行なう実施例の変更や追加、または削除したものも本考案に含まれることは勿論である。
【図面の簡単な説明】
【００２９】
【図１】本考案の実施例１の斜視概略図である。
【図２】本考案の実施例１の側面断面図である。
【図３】本考案の実施例２の側面断面図である。
【図４】本考案の実施例３の側面断面図である。
【図５】本考案の実施例４の側面断面図である。
【図６】本考案の実施例５の構造を示す平面図である。
【符号の説明】
【００３０】
１        基板              １１      発光ダイオード
２        マスク            ２１      蛍光パウダー層
２２      反射層            ３        マスク
３１      蛍光パウダー層    ３２      反射層
４        マスク
【図１】
0003133673.tif 000003
【図２】
0003133673.tif 000004
【図３】
0003133673.tif 000005
【図４】
0003133673.tif 000006
【図５】
0003133673.tif 000007
【図６】
0003133673.tif 000008